(57)【要約】【課題】簡単な構造で、一般形状配線とフラットケーブルの接続部を、床埋込ボックス内に収納し、床上にはフラットケーブルだけを引き出して床を平坦にすることができるフラットケーブル用取付補助具を提供する。【解決手段】建築物の床面下側に設けられる床埋込ボックス３４の開口部に取り付けられ、建築物の床下から床埋込ボックス３４内に引き出される電力線や通信線等の一般形状配線３２と床面上部を這わせる扁平なフラットケーブル４２を有する。一般形状配線３２とフラットケーブル４２の接続部を、床埋込ボックス３４内に収納し、床埋込ボックス３４内から床上にフラットケーブル４２だけを引き出すようにする。【選択図】　　　　図１
2004023847.tif 000002
【特許請求の範囲】
【請求項１】
建築物の床面下側に設けられる床埋込ボックスの開口部に取り付けられ、建築物の床下から上記床埋込ボックス内に引き出される一般形状配線と床面上部を這わせる扁平なフラットケーブルの接続部を、上記床埋込ボックス内に収納し、上記床埋込ボックス内から床上にフラットケーブルだけを引き出すようにしたことを特徴とするフラットケーブル用取付補助具。
【請求項２】
上記フラットケーブル用取付補助具には、上記床埋込ボックスの開口部を閉鎖する板状の本体と、上記本体に形成されたスリット状の透孔と、上記透孔の長手方向に沿う一対の側縁部に形成され湾曲形状を描いて上記床埋込ボックス側に突出するガイド部が設けられていることを特徴とする請求項１記載のフラットケーブル用取付補助具。
【請求項３】
上記本体には、上記床埋込ボックスに係合される係合手段が設けられていることを特徴とする請求項１記載のフラットケーブル用取付補助具。
【発明の詳細な説明】
【０００１】
【発明の属する技術分野】
この発明は、床下の埋込電線管に挿通された電力線や通信線の端部を、床埋込ボックス内に引き出し、平坦なフラットケーブルに繋ぐフラットケーブル用取付補助具に関する。
【０００２】
【従来の技術】
従来、電力用配線や電話用配線、ＬＡＮ配線等を床の表面に這わせるため、断面形状を平坦に形成したフラットケーブルがある。このフラットケーブルを床下の既設の配線に接続するためには、従来、図４に示すような接続ボックス１が使用されている。接続ボックス１は床直付形であり、まず床の構造について説明をする。床のコンクリート打設部２には、ほぼ水平に埋込電線管３が埋設され、電力用、通信用等の複数本の一般形状配線４が挿通されている。一般形状配線４は例えば断面形状が丸形の配線である。そしてコンクリート打設部２には、床埋込ボックス５がコンクリート打設部２の表面２ａに開口して埋設されている。床埋込ボックス５は、底面５ａと、底面５ａを囲む側面５ｂを有する有底筒状の箱体であり、側面５ｂには埋込電線管３が差し込まれ、床埋込ボックス５の内側と埋込電線管３の内側が連通している。
【０００３】
床埋込ボックス５の上端部５ｃには、塗り代カバー６が設けられている。塗り代カバー６は、床埋込ボックス５の上端面５ｃに当接し底面５ａに対して平行な枠状の取付部６ａが設けられ、そして取付部６ａの内側に連続し取付部６ａに対してほぼ直角に立ち上がる立上部６ｂと、立上部６ｂの先端に連続し床埋込ボックス５の底面５ａに対して平行に互いに形成された取付上面６ｃが設けられている。コンクリート打設部２の表面２ａには、塗り代カバー６の取付上面６ｃとほぼ同じ高さでモルタル部７が設けられている。そして、モルタル部７表面と塗り代カバー６の取付上面６ｃはほぼ同一面に位置している。そして塗り代カバー６の取付上面６ｃには、接続ボックス１が取付られている。
【０００４】
接続ボックス１には、塗り代カバー６の取付上面６ｃに固定される取付台８が設けられ、取付台８には端子台９が設けられている。端子台９の電極は、モルタル部７の表面に対してほぼ直角方向に位置している。取付台８には、端子台９の近傍のモルタル部７に近い下端部分に、透孔１０が設けられている。そして、接続ボックス１の取付台８の上には、カバー１３が取り付けられ、端子台９等を覆っている。
【０００５】
埋込電線管３から床埋込ボックス５の内側に引き出された電力線等の一般形状配線４は、塗り代カバー６の中心の取付上面６ｃに形成された透孔１１を通過して接続ボックス１の内側に入り、端子台９の電極の一方に接続される。そして、端子台９の電極の他方にはフラットケーブル１２が接続されている。これにより一般形状配線４とフラットケーブル１２が電気的に接続される。そしてフラットケーブル１２は、取付台８の透孔１０に挿通されて、接続ボックス１の外側に引き出される。フラットケーブル１２は、例えば電子機器の設置場所等、目的の方向へ向けてモルタル部７の表面に配線する。この状態で、モルタル部７の表面に、タイルカーペット１４を敷き詰めて床を仕上げる。
【０００６】
ここで、図４に示す接続ボックス１の場合、タイルカーペット１４よりも接続ボックス１の取付台８とカバー１３が高く突出し、通行や家具を置くときの障害になる。そこで高さを抑えたものとして、図５に示すような接続ボックス１５がある。
【０００７】
ここで、図５において、図４に示す部材と同様の部材は同様の番号を付して説明を省略する。図５に示す接続ボックス１５には、塗り代カバー６の取付上面６ｃに取り付けられる比較的薄型の取付台１６が設けられている。そして、取付台１６の一部には、塗り代カバー６の透孔１１に連通する挿通孔１７が設けられている。また取付台１６には、端子台１８が設けられている。端子台１８の電極は、モルタル部７の表面に対してほぼ水平方向に位置し、電極の一方は取付台１６の挿通孔１７近傍に、そして電極の他方は挿通孔１７から離れたところに位置している。取付台１６の、挿通孔１７から遠い電極近傍の側縁部には、フラットケーブル１２の取出口１６ａが設けられている。そして、接続ボックス１５の取付台１６の上には、カバー１９が設けられている。
【０００８】
そして、埋込電線管３から床埋込ボックス５の内側に引き出された一般形状配線４は、塗り代カバー６の透孔１１と取付台１６の挿通孔１７を通過して接続ボックス１５の取付台１６の上面に達し、端子台１８の、挿通孔１７近傍の電極に接続される。そして、端子台１８の他方の電極にはフラットケーブル１２が接続される。このフラットケーブル１２は、取付台１６の取出口１６ａに挿通されて、接続ボックス１５の外側に引き出され、目的の方向へ向けてモルタル部７表面に配線される。
【０００９】
図５に示す接続ボックス１５は比較的薄形であるため、タイルカーペット１４との段差が少なく、通行等に支障が少ないものである。
【００１０】
【発明が解決しようとする課題】
上記従来の技術の場合、フラットケーブル１２はタイルカーペット１４の下側にほぼ段差なく収容されるにもかかわらず、接続ボックス１，１５はタイルカーペット１４を切り欠いて設置し床上に露出し、フラットにならず障害物となるものである。また、専用の接続ボックス１，１５が必要であることから、コストがかかるものである。さらに、接続ボックス１，１５は、タイルカーペット１４から露出することから、薄形化、踏まれ強度向上、外観の美化等が要求され、コスト高の要因となっている。
【００１１】
この発明は上記従来の問題点に鑑みてなされたものであり、簡単な構造で、一般形状配線とフラットケーブルの接続部を、床埋込ボックス内に収納し、床上にはフラットケーブルだけを引き出して床を平坦にすることができるフラットケーブル用取付補助具を提供することを目的とする。
【００１２】
【課題を解決するための手段】
この発明は、建築物の床面下側に設けられる床埋込ボックスの開口部に取り付けられ、建築物の床下から上記床埋込ボックス内に引き出される電力線や通信線等の一般形状配線と床面上部を這わせる扁平なフラットケーブルの接続部を、上記床埋込ボックス内に収納し、上記床埋込ボックス内から床上にフラットケーブルだけを引き出すようにしたフラットケーブル用取付補助具である。
【００１３】
また、上記フラットケーブル用取付補助具には、上記床埋込ボックスの開口部を閉鎖する板状の本体と、上記本体に形成されたスリット状の透孔と、上記透孔の長手方向に沿う一対の側縁部に形成され湾曲形状を描いて上記床埋込ボックス側に突出するガイド部が設けられている。そして上記ガイド部は、上記本体の片側から上記透孔を打ち抜くことにより形成されたものである。
【００１４】
また、上記本体には、上記床埋込ボックスに係合される係合手段が設けられている。この係合手段は、例えば、上記本体と上記床埋込ボックスに、互いに連通するねじ穴や透孔が設けられ、このねじ穴や透孔にねじやボルトを差し込み、固定する。
【００１５】
この発明のフラットケーブル用取付補助具は、床埋込ボックスに取り付けられ、床埋込ボックス内に、一般形状配線と床上を這わせるフラットケーブルの接続部を収容し、フラットケーブル用取付補助具の透孔から、フラットケーブルを引き出し、床上に配線することにより、床上の突起をなくしたものである。
【００１６】
【発明の実施の形態】
以下、この発明の実施の形態について図面に基づいて説明する。図１，図２はこの発明の一実施形態を示すもので、この実施形態のフラットケーブル用取付補助具２０は、樹脂製や金属製の円板状の本体２２が設けられている。本体２２の中央には、半径方向に細長い矩形の透孔２４が形成され、透孔２４の長手方向に沿う一対の側縁部には、本体２２の裏面にほぼ直角に突出するガイド部２５が設けられている。ここで、ガイド部２５は、透孔２４を本体２２の表面側からプレス成形することで形成される。そして、透孔２４の長手方向長さは、透孔２４に挿通される後述のフラットケーブル４２がわずかにゆとりを有して挿通される長さに適宜設定される。そして、本体２２の周縁部の少し内側には、円周に沿って等間隔に４箇所に、ねじを挿通する透孔２６が設けられている。
【００１７】
次に、フラットケーブル用取付補助具２０の使用方法について説明する。まず床の構造について説明すると、図１に示すように、床下のコンクリート打設部２８には、ほぼ水平に埋込電線管３０が埋設され、電力用、通信用等の複数本の一般形状配線３２が挿通されている。一般形状配線３２は例えば断面形状が丸形や楕円の配線である。そしてコンクリート打設部２８には、床埋込ボックス３４がコンクリート打設部２８の表面２８ａに開口して埋設されている。床埋込ボックス３４は、底面３４ａと底面３４ａを囲む側面３４ｂを有する箱体であり、側面３４ｂには埋込電線管３０が入り込み、床埋込ボックス３４内側と埋込電線管３０内側が連通している。
【００１８】
床埋込ボックス３４の上端面３４ｃには、塗り代カバー３６が設けられている。塗り代カバー３６は、床埋込ボックス３４の上端面３４ｃに当接し底面３４ａに対して平行な枠状の取付部３６ａが設けられ、そして取付部３６ａの内側に連続し取付部３６ａに対してほぼ直角に立ち上がる立上部３６ｂと、立上部３６ｂの先端に連続し床埋込ボックス３４の底面３４ａに対して平行に互いに近づく方向へ折り曲げられた取付部３６ｃが設けられている。取付部３６ｃには、図示しない雌ねじが、フラットケーブル用取付補助具２０の透孔２６に対応するように、４個所形成されている。
【００１９】
コンクリート打設部２８の表面２８ａには、塗り代カバー３６の取付部３６ｃとほぼ同じ高さにモルタル部３８が設けられている。そして、モルタル部３８表面３８ａと塗り代カバー３６の取付部３６ｃはほぼ同一面に位置している。
【００２０】
そして、塗り代カバー３６の取付部３６ｃには、フラットケーブル用取付補助具２０が取り付けられている。ここで、フラットケーブル用取付補助具２０の４個の透孔２６を取付部３６ｃの４個の雌ねじに一致させ、図示しないねじを挿通、螺合させてフラットケーブル用取付補助具２０を固定する。
【００２１】
そして、埋込電線管３０には、複数本の一般形状配線３２が挿通されて端部が床埋込ボックス３４の内側に引き出されている。一般形状配線３２は、床埋込ボックス３４の内側で、コネクタ４０を介してフラットケーブル４２に接続されている。そしてフラットケーブル４２の、コネクタ４０と反対側の端部は、フラットケーブル用取付補助具２０の透孔２４に挿通されて床埋込ボックス３４の外側へ、モルタル部３８の表面３８ａに引き出されている。そして、フラットケーブル４２は、電子機器や電話機の設置場所等、目的の方向へ向けてモルタル部３８表面に保護シート４４を介して配線される。
【００２２】
そして、モルタル部３８の表面３８ａに設置したフラットケーブル４２の上にも、保護シート４４が取り付けられている。この状態で、モルタル部３８表面３８ａに、タイルカーペット４６が敷き詰められ、床が仕上げられている。
【００２３】
この実施形態のフラットケーブル用取付補助具２０によれば、簡単な構造で、フラットケーブル４２と一般形状配線３２の接続部分であるコネクタ４０を床埋込ボックス３４に収容し、床上にはフラットケーブル４２のみを引き出すことができる。これにより床上には、接続ボックス等の突起物がなくフラットケーブル４２のみであり、タイルカーペット４６の下に覆われて平坦に納まり、床を通行する際や家具を設置する際の障害とならず、安全で便利である。これによりフラットケーブル４２の利用価値を最大限に高めることができる。また、従来の接続ボックス等の設備が不要であり、コストを大きく削減することができる。また、従来の接続ボックスは、フロアプレートの傾きを調整する水平リング等の機構が必要であったが、それも不用となり、この点からも安価となる。また、この実施形態で使用される床埋込ボックス３４は安価な汎用品とすることができ、既存の建物にあらかじめ設けられている床埋込ボックス３４に適用することができる。これにより、後付けや取り外しが容易に可能である。そして、フラットケーブル４２と一般形状配線３２を接続するコネクタ４０は、床埋込ボックス３４内の空間に収容されるため、床を人が歩く際に生じる振動や衝撃から保護され、故障が少なく安全である。
【００２４】
さらに、フラットケーブル用取付補助具２０の透孔２４のガイド部２５は、湾曲して内部に延出しているため、透孔２４を通過するフラットケーブル４２がガイド部２５の曲面に沿って緩やかに折り曲げられながら引き出されるため、フラットケーブル４２の折り曲げ部分に強い力がかからず、応力集中等により損傷することがなく、安全である。
【００２５】
なお、この実施形態のフラットケーブル用取付補助具２０は、図３に示すように本体２２が四角形に形成されていても良い。この場合も、本体２２の中心に透孔２４が設けられ、本体２２の角部に取付用の透孔２６が位置している。このような本体２２が四角形のフラットケーブル用取付補助具２０は、四角形の床埋込ボックス３４に適用される。
【００２６】
この発明のフラットケーブル用取付補助具は、上記実施の形態に限定されるものではなく、素材や、各部材の形状等、自由に変更可能である。また、床の構造は上記実施形態以外でも使用可能である。そして、フラットケーブルと床下地材の間には、保護シート等を自由に設けても良い。また、フラットケーブルに限定されず、丸形ケーブル等を床上に引き出すことに使用しても良い。
【００２７】
【発明の効果】
この発明のフラットケーブル用取付補助具は、簡単な構造で、一般形状配線とフラットケーブルの接続部を、建物に設けられた床埋込ボックス内に収納し、床上にはフラットケーブルだけを引き出して床面を平坦にすることができる。そして専用の接続ボックス等の設備が不要で、設備コストを削減することができる。さらに、新規な建物への施工時はもちろん、既存の建物の床にも設けることができ、取り付ける対象を選ばないものである。
【図面の簡単な説明】
【図１】この発明の一実施形態のフラットケーブル用取付補助具の使用状態を示す縦断面図である。
【図２】この実施形態のフラットケーブル用取付補助具の平面図である。
【図３】この実施形態のフラットケーブル用取付補助具の変形例の平面図である。
【図４】従来の技術の接続ボックスの縦段面図である。
【図５】従来の技術の接続ボックスの縦段面図である。
【符号の説明】
２０　フラットケーブル用取付補助具
２２　本体
２４　透孔
２８　コンクリート打設部
３０　埋込電線管
３２　一般形状配線
３４　床埋込ボックス
３６　塗り代カバー
３８　モルタル部
４０　コネクタ
４２　フラットケーブル
【図１】
2004023847.tif 000003
【図２】
2004023847.tif 000004
【図３】
2004023847.tif 000005
【図４】
2004023847.tif 000006
【図５】
2004023847.tif 000007